(57)【要約】【課題】  主撮影レンズの物体側に装着されて全系を魚眼レンズとすることができる魚眼コンバージョンレンズを提供する。【解決手段】  主撮影レンズ２の物体側に装着されて全系を魚眼レンズとする魚眼コンバージョンレンズ１であって、物体側より順に、負の屈折力を有し物体側へ凸面を向けたメニスカス形状の第１レンズＬ１と、負の屈折力を有し両凹形状の第２レンズＬ２と、正の屈折力を有し両凸形状の第３レンズＬ３とから構成され、さらに第１レンズＬ１の焦点距離をｆ１、第２レンズＬ２の焦点距離をｆ２としたときに、式（１）ｆ１  ＜  ｆ２ ＜  ０を満たすように設計する。【選択図】  図１
2006235167.tif 000002
【特許請求の範囲】
【請求項１】
主撮影レンズの物体側に装着されて全系を魚眼レンズとする魚眼コンバージョンレンズ
であって、物体側より順に、負の屈折力を有し物体側へ凸面を向けたメニスカス形状の第
１レンズと、負の屈折力を有し両凹形状の第２レンズと、正の屈折力を有し両凸形状の第
３レンズとから構成され、さらに第１レンズの焦点距離をｆ１、第２レンズの焦点距離を
ｆ２としたときに、下記の式（１）を満たすことを特徴とする魚眼コンバージョンレンズ
。
（１）ｆ１  ＜  ｆ２ ＜  ０
【請求項２】
請求項１に記載の魚眼コンバージョンレンズにおいて、
前記第１〜第３レンズの屈折力が、下記（２）ないし（４）の条件を満たし、且つ各レ
ンズを構成するレンズの素材が、下記（５）ないし（１０）の条件を満たすことを特徴と
する魚眼コンバージョンレンズ。
（２）−１．２  ＜  Ｄ／ｆ１  ＜  −０．２
（３）−２．０  ＜  Ｄ／ｆ２  ＜  −０．５
（４）０．５  ＜  Ｄ／ｆ３  ＜  １．５
（５）ｎ１  ＜  １．７０
（６）ｎ２  ＜  １．７０
（７）ｎ３  ＜  １．７０
（８）４０  ＜  ν１  
（９）４０  ＜  ν２
（１０）５５  ＞ν３
但し、Ｄは第１レンズから第３レンズまでの全長、ｆ１は第１レンズの焦点距離、ｆ２
は第２レンズの焦点距離、ｆ３は第３レンズの焦点距離、ｎ１は第１レンズの屈折率、ｎ
２は第２レンズの屈折率、ｎ３は第３レンズの屈折率、ν１は第１レンズのアッベ数、ν
２は第２レンズのアッベ数、ν３は第３レンズのアッベ数である。
【請求項３】
請求項１又は２記載の魚眼コンバージョンレンズにおいて、
前記第１レンズの屈折面が、下記（１１）と（１２）の条件を満たすことを特徴とする
魚眼コンバージョンレンズ。
（１１）  ０．０  ＜  Ｄ／ｒ１  ＜  ０．８
（１２）  ０．４  ＜  Ｄ／ｒ２  ＜  ２．５
但し、Ｄは第１レンズから第３レンズまでの全長、ｒ１は第１レンズの物体側屈折面の
頂点における曲率半径、ｒ２は第１レンズの像面側屈折面の頂点における曲率半径である
。
【請求項４】
請求項１〜３いずれかに記載の魚眼コンバージョンレンズにおいて、
前記第２レンズの屈折面が、下記（１３）と（１４）の条件を満たすことを特徴とする
魚眼コンバージョンレンズ。
（１３）  −１．５  ＜  Ｄ／ｒ３  ＜  −０．１
（１４）  ０．５  ＜  Ｄ／ｒ４  ＜  ２．５
但し、Ｄは第１レンズから第３レンズまでの全長、ｒ３は第２レンズの物体側屈折面の
頂点における曲率半径、ｒ４は第２レンズの像面側屈折面の頂点における曲率半径である
。
【請求項５】
請求項１〜４いずれかに記載の魚眼コンバージョンレンズにおいて、
前記第３レンズの屈折面が、下記（１５）と（１６）の条件を満たすことを特徴とする
魚眼コンバージョンレンズ。
（１５）  ０．８  ＜  Ｄ／ｒ５  ＜  １．８
（１６）  −１．０  ＜  Ｄ／ｒ６  ＜  ０．０
但し、Ｄは第１レンズから第３レンズまでの全長、ｒ５は第３レンズの物体側屈折面の
頂点における曲率半径、ｒ６は第３レンズの像面側屈折面の頂点における曲率半径である
。
【発明の詳細な説明】
【技術分野】
【０００１】
本発明は、主撮影レンズに装着して魚眼レンズに変換できる魚眼コンバージョンレンズ
に関する。
【背景技術】
【０００２】
近年、マルチメディアの進展は目覚しく、ＣＣＤ（Charge Coupled Device）やＣＭＯ
Ｓ（Complementary Metal-Oxide Semiconductor）などの固体撮像素子を備えた撮像装置
、例えばデジタルスチルカメラが携帯電話に内蔵されるなど小型軽量化が図られると共に
急速に普及が進んでいる。こうした撮像装置に用いられる撮像レンズとして、より明るく
、撮影範囲が広く、高画質・高解像度のレンズが求められている。また、これらの撮像装
置に対する要求として、画角を変更して、さらに広い範囲を撮影したいという要求がある
。通常、これらの撮像装置は、撮像素子と一体になりカメラモジュールとして構成されて
いるため、レンズを交換して画角を変更することが難しい。このため主撮影レンズの物体
側に装着して全系の焦点位置を固定したまま焦点距離をワイド方面に変位させるワイドコ
ンバージョンレンズが用いられる。
【０００３】
従来、主撮影レンズの物体側に装着して画角を１８０度付近まで広げ、魚眼レンズとす
るワイドコンバージョンレンズとして、下記の特許文献１に示すものが提案されている。
また、ワイドコンバージョンレンズとして、下記の特許文献２〜６に示すような小型化と
高画質を両立させることができるレンズ３枚構成のものが提案されている。
【特許文献１】特許３００８９２６号
【特許文献２】特開平３−２６０６０９号公報
【特許文献３】特許第２９９７０２６号
【特許文献４】特開平３−５７１４号公報
【特許文献５】特開平３−１２７００５号公報
【特許文献６】特開平４−１１６５１１号公報
【発明の開示】
【発明が解決しようとする課題】
【０００４】
しかしながら、特許文献１に示された魚眼コンバージョンレンズは、４群５枚構成であ
り、コンバージョンレンズ自体が非常に大きく、また高価なものとなっている。また、上
記文献２ないし６で提案されているワイドコンバージョンレンズは、簡素な３枚構成であ
るが、何れもワイド側へ変位させたときの画角が狭く、主レンズと組み合わせた時に魚眼
レンズとならない。
【０００５】
本発明は、上記事情に鑑みてなされたもので、簡素な３枚構成でありながら、主撮影レ
ンズの物体側に装着されて全系を魚眼レンズとすることができる魚眼コンバージョンレン
ズを提供することを目的とする。
【課題を解決するための手段】
【０００６】
上記目的を達成するため、本発明は、第１に、主撮影レンズの物体側に装着されて全系
を魚眼レンズとする魚眼コンバージョンレンズであって、物体側より順に、負の屈折力を
有し物体側へ凸面を向けたメニスカス形状の第１レンズと、負の屈折力を有し両凹形状の
第２レンズと、正の屈折力を有し両凸形状の第３レンズとから構成され、さらに第１レン
ズの焦点距離をｆ１、第２レンズの焦点距離をｆ２としたときに、下記の式（１）を満た
すことを特徴とする魚眼コンバージョンレンズを提供する。
（１）ｆ１  ＜  ｆ２ ＜  ０
【０００７】
コンバージョンレンズは、物体側から負の屈折力を有する前群と正の屈折力を有する後
群との組み合わせになる。本発明においては、負の屈折力を有する前群を２枚の凹レンズ
で構成し、魚眼レンズとするためのディストーションを大きく残しながら、パワーを二つ
に分けて、非点収差、像面湾曲を良好に補正している。周辺で大きなディストーションを
発生させるためには、第１レンズと第２レンズのそれぞれの物体側の屈折面の周辺におけ
る入射角を大きくすると共に、第１レンズと第２レンズのそれぞれの像面側の出射角度を
できる限り小さくして垂直に近づけて出射させることが有効である。そのため、第１レン
ズは、物体側へ凸面を向けた負の屈折力を有するメニスカスレンズとする。また、第２レ
ンズは、両凹レンズとする。第１レンズと第２レンズがこのような屈折面を有することか
ら、第１レンズの負のパワーよりも第２レンズの負のパワーの方が大きくなる。
【０００８】
本発明は、第２に、上記第１の魚眼コンバージョンレンズにおいて、前記第１〜第３レ
ンズの屈折力が、下記（２）ないし（４）の条件を満たし、且つ各レンズを構成するレン
ズの素材が、下記（５）ないし（１０）の条件を満たすことを特徴とする魚眼コンバージ
ョンレンズを提供する。
（２）−１．２  ＜  Ｄ／ｆ１  ＜  −０．２
（３）−２．０  ＜  Ｄ／ｆ２  ＜  −０．５
（４）０．５  ＜  Ｄ／ｆ３  ＜  １．５
（５）ｎ１  ＜  １．７０
（６）ｎ２  ＜  １．７０
（７）ｎ３  ＜  １．７０
（８）４０  ＜  ν１  
（９）４０  ＜  ν２
（１０）５５  ＞ν３
但し、Ｄは第１レンズから第３レンズまでの全長、ｆ１は第１レンズの焦点距離、ｆ２
は第２レンズの焦点距離、ｆ３は第３レンズの焦点距離、ｎ１は第１レンズの屈折率、ｎ
２は第２レンズの屈折率、ｎ３は第３レンズの屈折率、ν１は第１レンズのアッベ数、ν
２は第２レンズのアッベ数、ν３は第３レンズのアッベ数である。
【０００９】
魚眼コンバージョンレンズの全長に対する各レンズのパワー配分を規定する式（２）〜
（４）の条件を満たすことによって、十分な画角を確保しながら、像面湾曲、非点収差を
良好に補正することができる。また、式（５）〜式（１０）の条件を満たすことによって
、色収差補正を良好にして、結像性能を向上させることができる。
【００１０】
本発明は、第３に、上記第１又は２の魚眼コンバージョンレンズにおいて、前記第１レ
ンズの屈折面が、下記（１１）と（１２）の条件を満たすことを特徴とする魚眼コンバー
ジョンレンズを提供する。
（１１）  ０．０  ＜  Ｄ／ｒ１  ＜  ０．８
（１２）  ０．４  ＜  Ｄ／ｒ２  ＜  ２．５
但し、Ｄは第１レンズから第３レンズまでの全長、ｒ１は第１レンズの物体側屈折面の
頂点における曲率半径、ｒ２は第１レンズの像面側屈折面の頂点における曲率半径である
。
【００１１】
第１レンズの両側の屈折面の曲率を制限する式（１１）と（１２）を満たすことによっ
て、魚眼レンズとするための大きな歪曲を発生させながら、大きな画角を確保し、その他
の収差を良好に補正することができる。また、レンズの製造を容易にすることができる。
【００１２】
本発明は、第４に、上記第１〜３いずれかの魚眼コンバージョンレンズにおいて、前記
第２レンズの屈折面が、下記（１３）と（１４）の条件を満たすことを特徴とする魚眼コ
ンバージョンレンズを提供する。
（１３）  −１．５  ＜  Ｄ／ｒ３  ＜  −０．１
（１４）  ０．５  ＜  Ｄ／ｒ４  ＜  ２．５
但し、Ｄは第１レンズから第３レンズまでの全長、ｒ３は第２レンズの物体側屈折面の
頂点における曲率半径、ｒ４は第２レンズの像面側屈折面の頂点における曲率半径である
。
【００１３】
第２レンズの両側の屈折面の曲率を制限する式（１３）と（１４）を満たすことによっ
て、魚眼レンズとするための大きな歪曲を発生させながら、十分な画角を確保し、非点収
差、コマ収差を良好に補正することができる。
【００１４】
本発明は、第５に、上記第１〜４いずれかの魚眼コンバージョンレンズにおいて、前記
第３レンズの屈折面が、下記（１５）と（１６）の条件を満たすことを特徴とする魚眼コ
ンバージョンレンズを提供する。
（１５）  ０．８  ＜  Ｄ／ｒ５  ＜  １．８
（１６）  −１．０  ＜  Ｄ／ｒ６  ＜  ０．０
但し、Ｄは第１レンズから第３レンズまでの全長、ｒ５は第３レンズの物体側屈折面の
頂点における曲率半径、ｒ６は第３レンズの像面側屈折面の頂点における曲率半径である
。
第３レンズの両側の屈折面の曲率を制限する式（１５）と（１６）を満たすことによっ
て、十分な画角を確保しながら像面湾曲を良好に補正することができる。
【発明を実施するための最良の形態】
【００１５】
以下、本発明の魚眼コンバージョンレンズの実施の形態について説明するが、本発明は
以下の実施の形態に限定されるものではない。
【００１６】
図１は、本発明の魚眼コンバージョンレンズの典型的な構成を示す概略構成図であり、
後述する実施例１を示している。図１におけるＲｉ（ｉは１からの整数）で示される符号
は、物体側から像面側に向かって順にレンズ面番号を示し、Ｄｉ（ｉは１からの整数）で
示される符号は、物体側から像面側に向かって順に主光線軸におけるレンズの中心厚及び
レンズ間の空気間隔を示す。
【００１７】
図１に示す魚眼コンバージョンレンズ１は、物体側より像面側へ向かって順に、第１レ
ンズＬ１、第２レンズＬ２、第３レンズＬ３の３枚のレンズで構成されている。この魚眼
コンバージョンレンズ１が装着される主撮影レンズ２は、最前面の絞り３の後にレンズ系
４が配置され、像面５に結像されるようになっている。
図１に示した符号は、実施例２の構成を示す図３、実施例３の構成を示す図５、実施例
４の構成を示す図７、実施例５の構成を示す図９においても同様である。
【００１８】
魚眼レンズは、１４０゜以上の画角を有し、最大像高の位置で歪曲収差が−１００％の
極端な樽型の歪みを有するレンズである。本発明の魚眼コンバージョンレンズ１は、主撮
影レンズ２の物体側に装着して、１６０°以上の画角を実現することができる。
【００１９】
本発明の魚眼コンバージョンレンズ１においては、第１レンズＬ１は負の屈折力を有し
物体側へ凸面を向けたメニスカス形状のレンズであり、第２レンズＬ２は負の屈折力を有
する両凹レンズであり、第３レンズＬ３は正の屈折力を有する両凸形状のレンズである。
【００２０】
コンバージョンレンズは、物体側から負の屈折力を有する前群と正の屈折力を有する後
群との組み合わせになり、かつ、アフォーカルな光学系とするために、前群の後側焦点位
置と後群の前側焦点位置がほぼ一致する必要がある。
【００２１】
本発明の魚眼コンバージョンレンズにおいては、負の屈折力を有する前群を２枚の凹レ
ンズで構成し、魚眼レンズとするためのディストーションを大きく残しながら、パワーを
二つに分けて、非点収差、像面湾曲を良好に補正している。周辺で大きなディストーショ
ンを発生させるためには、第１レンズＬ１と第２レンズＬ２のそれぞれの物体側の屈折面
の周辺における入射角を大きくすると共に、第１レンズと第２レンズのそれぞれの像面側
の出射角度をできる限り小さくして垂直に近づけて出射させることが有効である。そのた
め、第１レンズＬ１は、物体側の屈折面を物体側に凸面を向けた平坦に近い凸面とすると
共に、像面側の屈折面を曲率が比較的大きな凹面とすることから、物体側へ凸面を向けた
負の屈折力を有するメニスカスレンズとする。また、第２レンズＬ２は、物体側の屈折面
を平坦に近い凹面とすると共に、像面側の屈折面を比較的大きな曲率を有する凹面とする
ことから、両凹レンズとする。第１レンズＬ１と第２レンズＬ２がこのような屈折面を有
することから、第１レンズＬ１の負のパワーよりも第２レンズＬ２の負のパワーの方が大
きくなり、本発明の魚眼コンバージョンレンズは、次の式（１）の条件を満足する必要が
ある。
（１）ｆ１  ＜  ｆ２ ＜  ０
但し、ｆ１は第１レンズの焦点距離、ｆ２は第２レンズの焦点距離である。
【００２２】
また、本発明の魚眼コンバージョンレンズは、第１〜第３レンズの屈折力が、下記（２
）ないし（４）の条件を満たし、且つ各レンズを構成するレンズの素材が、下記（５）な
いし（１０）の条件を満たすことが好ましい。
（２）−１．２  ＜  Ｄ／ｆ１  ＜  −０．２
（３）−２．０  ＜  Ｄ／ｆ２  ＜  −０．５
（４）０．５  ＜  Ｄ／ｆ３  ＜  １．５
（５）ｎ１  ＜  １．７０
（６）ｎ２  ＜  １．７０
（７）ｎ３  ＜  １．７０
（８）４０  ＜  ν１  
（９）４０  ＜  ν２
（１０）５５  ＞ν３
但し、Ｄは第１レンズから第３レンズまでの全長、ｆ１は第１レンズの焦点距離、ｆ２
は第２レンズの焦点距離、ｆ３は第３レンズの焦点距離、ｎ１は第１レンズの屈折率、ｎ
２は第２レンズの屈折率、ｎ３は第３レンズの屈折率、ν１は第１レンズのアッベ数、ν
２は第２レンズのアッベ数、ν３は第３レンズのアッベ数である。
【００２３】
本発明のコンバージョンレンズにおいては、個々のレンズのパワーを比較的小さくして
収差の発生を抑制し、個々のレンズのパワーを小さくすることを補うためにレンズ間の間
隔を比較的大きくするという設計手法を採用している。そのため、各レンズの焦点距離や
屈折面の規定では、第１レンズから第３レンズまでの全長Ｄとの比で規定するようにして
いる。
【００２４】
式（２）〜式（４）は、各レンズの屈折力を制限する条件である。式（２）及び式（３
）の下限を超えると、第１レンズ又は第２レンズのパワーが強くなり過ぎ、非点収差と像
面湾曲の補正が困難になる。一方、式（２）及び式（３）の上限を超えると、第１レンズ
又は第２レンズのパワーが弱くなり、コンバージョンレンズとしての倍率が１に近づき、
十分な画角が得られない。更に、式（４）の下限を超えると、第３レンズのパワーが弱く
なり、十分な画角が得られない。一方、式（４）の上限を超えると、第３レンズのパワー
が強くなり過ぎ、ペッツベール和が大きくなり、像面湾曲の補正が困難になる。さらに、
式（５）〜式（１０）は、色収差補正に関連して素材の屈折率と分散を定める条件であり
、これらの条件を満たさない場合、色収差補正が困難になり、結像性能が落ちる。
【００２５】
また、本発明の魚眼コンバージョンレンズは、第１レンズの屈折面が、下記（１１）と
（１２）の条件を満たすことが好ましい。
（１１）  ０．０  ＜  Ｄ／ｒ１  ＜  ０．８
（１２）  ０．４  ＜  Ｄ／ｒ２  ＜  ２．５
但し、Ｄは第１レンズから第３レンズまでの全長、ｒ１は第１レンズの物体側屈折面の
頂点における曲率半径、ｒ２は第１レンズの像面側屈折面の頂点における曲率半径である
。なお、曲率半径及び曲率には、全て符号が与えられており、曲率中心が、曲面より像面
側にあるときをプラス、曲面より物体側にあるときをマイナスとしている。
【００２６】
第１レンズの物体側の屈折面の曲率を制限する式（１１）は、第１レンズの物体側の屈
折面を平坦に近く物体側に凸である屈折面とすることを規定している。式（１１）の下限
を超えると、第１レンズの物体側の面で発生する非点収差が過大になり、補正が困難にな
る。一方、式（１１）の上限を超えると、周辺における入射角を大きくすることができず
、周辺で大きな歪曲を発生させることができないため、魚眼レンズとすることが困難にな
る。また、第１レンズの形状が極端なメニスカス形状となり、レンズの製造が困難になる
。第１レンズの像面側の屈折面の曲率を制限する式（１２）は、物体側の屈折面よりも曲
率が大きな像面側に凹んだ屈折面とすることを規定している。式（１２）の下限を超える
と、第１レンズのパワーが弱くなり、十分な画角が得られない。一方、式（１２）の上限
を超えると、第１レンズの形状が極端なメニスカス形状となり、レンズの製造が困難にな
る。
【００２７】
また、本発明の魚眼コンバージョンレンズは、第２レンズの屈折面が、下記（１３）と
（１４）の条件を満たすことが好ましい。
（１３）  −１．５  ＜  Ｄ／ｒ３  ＜  −０．１
（１４）  ０．５  ＜  Ｄ／ｒ４  ＜  ２．５
但し、Ｄは第１レンズから第３レンズまでの全長、ｒ３は第２レンズの物体側屈折面の
頂点における曲率半径、ｒ４は第２レンズの像面側屈折面の頂点における曲率半径である
。
【００２８】
第２レンズの物体側の屈折面の曲率を制限する式（１３）は、第２レンズの物体側の屈
折面を平坦に近い凹面とすることを規定している。式（１３）の下限を超えると、第２レ
ンズの物体側の面で発生する非点収差が過大になり、補正が困難になる。一方、式（１３
）の上限を超えると第２レンズのパワーが弱くなり、十分な画角が得られない。第２レン
ズの像面側の屈折面の曲率を制限する式（１４）は、物体側の屈折面よりも曲率を大きく
することを規定している。式（１４）の上限を超えると、第２レンズの像面側で発生する
コマ収差が過大になり、補正が困難になる。一方、式（１４）の下限を超えると、第２レ
ンズのパワーが弱くなり、十分な画角が得られない。
【００２９】
さらに、本発明の魚眼コンバージョンレンズは、第３レンズの屈折面が、下記（１５）
と（１６）の条件を満たすことが好ましい。
（１５）  ０．８  ＜  Ｄ／ｒ５  ＜  １．８
（１６）  −１．０  ＜  Ｄ／ｒ６  ＜  ０．０
但し、Ｄは第１レンズから第３レンズまでの全長、ｒ５は第３レンズの物体側屈折面の
頂点における曲率半径、ｒ６は第３レンズの像面側屈折面の頂点における曲率半径である
。
【００３０】
式（１５）と（１６）は、第３レンズの屈折面の曲率を制限する条件であり、第３レン
ズが両凸レンズであることを示している。式（１５）の上限又は式（１６）の下限を超え
ると、第３レンズのパワーが強くなり、ペッツベール和が大きくなり、像面湾曲の補正が
困難になる。さらに、式（１５）の下限又は式（１６）の上限を超えると、第３レンズの
パワーが弱くなり、十分な画角が得られない。
【実施例】
【００３１】
以下、本発明の魚眼コンバージョンレンズの実施例を示す。
（実施例１）
図１は実施例１の魚眼コンバージョンレンズの概略構成図であり、光路も示している。
図２は実施例１の諸収差を示す収差図である。なお、本発明の魚眼コンバージョンレンズ
１が物体側に装着される主撮影レンズ２として収差のない理想的なレンズを仮想して全系
の結像性能を評価している。従来はコンバージョンレンズの光学性能を表現する方法とし
て、主撮影レンズとコンバージョンレンズを組み合わせたときの性能を示していた。しか
し、この方法では、主撮影レンズも含めた結像性能しか表せず、コンバージョンレンズ単
体での性能は分からない。この点を考慮し、本発明の魚眼コンバージョンレンズの結像性
能をシミュレーションするとき、コンバージョンレンズの後に収差のない理想的な結像性
能を有する理想レンズをおいて、結像性能のシミュレーションを行っている。
【００３２】
図２の収差図の中で、左のグラフはｄ線（５８７．５６ｎｍ）、ｇ線（４３５．４ｎｍ
）、Ｃ線（６５６．２７ｎｍ）の波長における球面収差を示している。中央のグラフは像
面湾曲と非点収差を示し、符合Ｓは球欠的像面、符合Ｔは子午的像面を表している。右の
グラフは歪曲収差を示している。なお、歪曲収差量を示す横軸の単位はパーセント（％）
、他の収差量を示す横軸の単位はｍｍである。
【００３３】
表１に実施例１の設計データを示す。表１には、面Ｒｉの曲率半径ｒｉ（ｍｍ）、物体
側より像面側へ向かって第ｉ番目の各レンズの光軸上の中心厚及び各レンズ間の光軸上の
空気間隔Ｄｉ（ｍｍ）、物体側より像面側へ順にｉ番目の光学材料のｄ線に対する屈折率
Ｎｄとアッベ数Ｖｄが示されている。表６に実施例１の設計仕様及び本発明で規定されて
いる各種の数値を示す。
【表１】
2006235167.tif 000003
【００３４】
（実施例２）
図３は実施例２の魚眼コンバージョンレンズの概略構成図である。図４は実施例２の諸
収差を示す収差図である。図４の各収差図は図２と同様の意味を有する。表２に実施例２
の設計データを示す。表２には面Ｒｉの曲率半径ｒｉ（ｍｍ）、間隔Ｄｉ（ｍｍ）、屈折
率Ｎｄ、アッベ数Ｖｄが示されている。表６に実施例２の設計仕様及び本発明で規定され
ている各種の数値を示す。
【表２】
2006235167.tif 000004
【００３５】
（実施例３）
図５は実施例３の魚眼コンバージョンレンズの概略構成図である。図６は実施例３の諸
収差を示す収差図である。図６の各収差図は図２と同様の意味を有する。表３に実施例３
の設計データを示す。表３には面Ｒｉの曲率半径ｒｉ（ｍｍ）、間隔Ｄｉ（ｍｍ）、屈折
率Ｎｄ、アッベ数Ｖｄが示されている。表６に実施例３の設計仕様及び本発明で規定され
ている各種の数値を示す。
【表３】
2006235167.tif 000005
【００３６】
（実施例４）
図７は実施例４の魚眼コンバージョンレンズの概略構成図である。図８は実施例４の諸
収差を示す収差図である。図８の各収差図は図２と同様の意味を有する。表４に実施例４
の設計データを示す。表４には面Ｒｉの曲率半径ｒｉ（ｍｍ）、間隔Ｄｉ（ｍｍ）、屈折
率Ｎｄ、アッベ数Ｖｄが示されている。表６に実施例４の設計仕様及び本発明で規定され
ている各種の数値を示す。
【表４】
2006235167.tif 000006
【００３７】
（実施例５）
図９は実施例５の魚眼コンバージョンレンズの概略構成図である。図１０は実施例５の
諸収差を示す収差図である。図１０の各収差図は図２と同様の意味を有する。表５に実施
例５の設計データを示す。表５には面Ｒｉの曲率半径ｒｉ（ｍｍ）、間隔Ｄｉ（ｍｍ）、
屈折率Ｎｄ、アッベ数Ｖｄが示されている。表６に実施例５の設計仕様及び本発明で規定
されている各種の数値を示す。
【表５】
2006235167.tif 000007
【表６】
2006235167.tif 000008
【００３８】
実施例の魚眼コンバージョンレンズ１は、上記式（１）〜（１６）の条件を全て満足し
ている。主撮影レンズ２の焦点距離は３．３４ｍｍである。本発明の魚眼コンバージョン
レンズ１を装着することにより、全系の焦点距離は１．４０ｍｍ（実施例１〜４）、２．
０２ｍｍ（実施例５）に短縮されている。魚眼コンバージョンレンズ１を主撮影レンズ２
に装着した全系が、全て画角が１８０°、最大像高における歪曲収差が−１００％の魚眼
レンズとなっている。
なお、実施例では全てガラスの球面レンズを用いたが、レンズ素材としてプラスチック
を用いても良く、更に屈折面を非球面としても良い。
【産業上の利用可能性】
【００３９】
本発明の魚眼コンバージョンレンズは、撮像モジュールとして撮像素子と一体化してい
る主撮影レンズの物体側へ装着して撮影できる画角を広げる用途に用いることができる。
【図面の簡単な説明】
【００４０】
【図１】実施例１の魚眼コンバージョンレンズの概略構成図である。
【図２】実施例１の魚眼コンバージョンレンズの諸収差図である。
【図３】実施例２の魚眼コンバージョンレンズの概略構成図である。
【図４】実施例２の魚眼コンバージョンレンズの諸収差図である。
【図５】実施例３の魚眼コンバージョンレンズの概略構成図である。
【図６】実施例３の魚眼コンバージョンレンズの諸収差図である。
【図７】実施例４の魚眼コンバージョンレンズの概略構成図である。
【図８】実施例４の魚眼コンバージョンレンズの諸収差図である。
【図９】実施例５の魚眼コンバージョンレンズの概略構成図である。
【図１０】実施例５の魚眼コンバージョンレンズの諸収差図である。
【符号の説明】
【００４１】
１：魚眼コンバージョンレンズ、２：主撮影レンズ、Ｌ１：第１レンズ、Ｌ２：第２レ
ンズ、Ｌ３：第３レンズ、３：絞り、４：主撮影レンズのレンズ系、５：像面
【図１】
2006235167.tif 000009
【図２】
2006235167.tif 000010
【図３】
2006235167.tif 000011
【図４】
2006235167.tif 000012
【図５】
2006235167.tif 000013
【図６】
2006235167.tif 000014
【図７】
2006235167.tif 000015
【図８】
2006235167.tif 000016
【図９】
2006235167.tif 000017
【図１０】
2006235167.tif 000018